(57)【要約】【課題】ユーザが望むジャンルの番組をいつでも簡単な操作で選択して視聴できるようにする。【解決手段】リモコンは、「放送局」の指定と「ジャンル」の指定に共通して使用される、チャンネル選択ボタンやチャンネル切替スイッチなどを備えている。更に、リモコンは、チャンネル番号の選択を「放送局の選択」とみなす通常チャンネルモードと、チャンネル番号の選択を「ジャンルの選択」とみなすジャンル別チャンネルモードの一方を指定するためのモード切替スイッチ５を備えている。ジャンル別チャンネルモードの場合、放送受信装置側では、各放送局で放送されている番組が現在どのジャンルに属するのかを示すジャンル−放送局対応情報を参照することにより、リモコンからの信号で示されるジャンルに該当する放送局を選択し、その番組内容を表示出力する。【選択図】    図２
2004363807.tif 000002
【特許請求の範囲】
【請求項１】
各放送局で放送されている番組が現在どのジャンルに属するのかを示すジャンル−放送局対応情報を管理し、当該ジャンル−放送局対応情報における各ジャンルと各放送局との対応付けを動的に更新する情報管理手段と、
入力操作を通じて指定されるジャンルを判定するジャンル判定手段と、
前記情報管理手段により管理されている前記ジャンル−放送局対応情報を参照することにより、前記ジャンル判定手段により判定されたジャンルに該当する放送局を選択する選択制御手段と、
前記選択制御手段により選択された放送局の番組内容を表示出力させる表示制御手段と
を具備することを特徴とする放送受信装置。
【請求項２】
入力操作に応じて、複数種類の信号の１つを選択的に発信し、この発信の際に当該信号を放送局の選択信号とする第１のモードと当該信号をジャンルの選択信号とする第２のモードとのいずれを適用すべきかを示すモード指定情報を付加して発信することが可能な入力手段と、
前記入力手段から発信された信号に付加されている前記モード指定情報が前記第１のモードと前記第２のモードのどちらを示しているか否かを判定するモード判定手段と、
各放送局で放送されている番組が現在どのジャンルに属するのかを示すジャンル−放送局対応情報を管理し、当該ジャンル−放送局対応情報における各ジャンルと各放送局との対応付けを動的に更新する情報管理手段と、
前記モード判定手段の判定結果が前記第２のモードを示している場合、前記入力手段から発信された信号により指定されるジャンルを判定するジャンル判定手段と、
前記情報管理手段により管理されている前記ジャンル−放送局対応情報を参照することにより、前記ジャンル判定手段により判定されたジャンルに該当する放送局を選択する選択制御手段と、
前記選択制御手段により選択された放送局の番組内容を表示出力させる表示制御手段と
を具備することを特徴とする放送受信装置。
【請求項３】
前記入力手段は、リモートコントローラであり、前記第１のモードと前記第２のモードの一方を指定するためのモード切替スイッチを備えていることを特徴とする請求項２記載の放送受信装置。
【請求項４】
前記表示制御手段は、所定の入力操作に応じて、各ジャンルと各放送局もしくは番組内容との対応付けを示す情報を表示出力することが可能であることを特徴とする請求項２記載の放送受信装置。
【請求項５】
前記選択制御手段は、前記ジャンル判定手段により判定されたジャンルが現在選択されている放送局の番組のジャンルと同じであるか否かを判定し、同じである場合、そのジャンルに属する他の番組を放送している他の放送局があれば、当該他の放送局の番組への切り替え制御を行うことを特徴とする請求項２記載の放送受信装置。
【請求項６】
前記選択制御手段は、前記ジャンル判定手段により判定されたジャンルが現在選択されている放送局の番組のジャンルと同じであるか否かを判定し、同じでない場合、前記判定されたジャンルに属する番組を放送している放送局があれば、その放送局の番組への切り替え制御を行うことを特徴とする請求項２記載の放送受信装置。
【請求項７】
各放送局で放送されている番組が現在どのジャンルに属するのかを示すジャンル−放送局対応情報を管理して、当該ジャンル−放送局対応情報における各ジャンルと各放送局との対応付けを動的に更新し、
入力操作を通じて指定されるジャンルを判定し、
前記ジャンル−放送局対応情報を参照することにより、前記判定の結果に示されるジャンルに該当する放送局を選択し、
前記選択された放送局の番組内容を表示出力させることを特徴とする放送番組選択方法。
【請求項８】
入力装置に対する入力操作に応じて、複数種類の信号の１つを選択的に発信し、この発信の際に当該信号を放送局の選択信号とする第１のモードと当該信号をジャンルの選択信号とする第２のモードとのいずれを適用すべきかを示すモード指定情報を付加して発信し、
前記入力装置から発信された信号に付加されている前記モード指定情報が前記第１のモードと前記第２のモードのどちらを示しているか否かを判定し、
各放送局で放送されている番組が現在どのジャンルに属するのかを示すジャンル−放送局対応情報を管理して、当該ジャンル−放送局対応情報における各ジャンルと各放送局との対応付けを動的に更新し、
前記判定の結果が前記第２のモードを示している場合、前記入力装置から発信された信号により指定されるジャンルを判定し、
前記ジャンル−放送局対応情報を参照することにより、前記ジャンル判定の結果に示されるジャンルに該当する放送局を選択し、
前記選択された放送局の番組内容を表示出力させることを特徴とする放送番組選択方法。
【請求項９】
所定の入力操作に応じて、各ジャンルと各放送局もしくは番組内容との対応付けを示す情報を表示出力させることを特徴とする請求項８記載の放送番組選択方法。
【請求項１０】
前記ジャンル判定結果に示されるジャンルが現在選択されている放送局の番組のジャンルと同じであるか否かを判定し、同じである場合、そのジャンルに属する他の番組を放送している他の放送局があれば、当該他の放送局の番組への切り替え制御を行うことを特徴とする請求項８記載の放送番組選択方法。
【請求項１１】
前記ジャンル判定結果に示されるジャンルが現在選択されている放送局の番組のジャンルと同じであるか否かを判定し、同じでない場合、前記ジャンル判定結果に示されるジャンルに属する番組を放送している放送局があれば、その放送局の番組への切り替え制御を行うことを特徴とする請求項８記載の放送番組選択方法。
【発明の詳細な説明】
【０００１】
【発明の属する技術分野】
本発明は、放送局により放送されるデジタル放送を受信する放送受信装置及び放送番組選択方法に関する。
【０００２】
【従来の技術】
近年、放送分野においては、映像や音声に高能率符号化技術を採用することにより、番組のテレビジョン信号等を圧縮符号化データとして放送するデジタル放送の事業化が進められている。これにより、更に多チャンネル化を図ると共に高画質の画像を視聴者に提供することが可能となる。
【０００３】
このようなデジタル放送においては、放送される番組の属性を示す情報であるサービス情報（ＳＩ）が放送信号と共に送信されるようになっている。このサービス情報には、番組をジャンル別に分類するのに必要なジャンル情報や、番組の開始・終了時刻情報、伝送チャンネル情報などが含まれている。このため、上記サービス情報の中のジャンル情報を利用することによって、視聴者の嗜好に合わせた番組検索を実現することも可能である。
【０００４】
例えば、特許文献１には、視聴者がよく見るチャンネルを検索リストとして予め記憶手段に登録し、番組検索時に上記検索リストに基づき登録してあるチャンネルのジャンルから検索を行う技術が開示されている。
【０００５】
【特許文献１】
特開平１１−１２２５４８号公報
【０００６】
【発明が解決しようとする課題】
しかしながら、あるチャンネル（もしくは放送局）で放送される番組が常に特定のジャンルに限定されているとは限らない。チャンネルによっては、時間帯や曜日に応じて放送番組のジャンルが変化していくものも多々ある。このような状況を考慮すると、特許文献１の技術では、ユーザ（視聴者）の要望に十分応えることはできない。
【０００７】
本発明は上記実情に鑑みてなされたものであり、ユーザが望むジャンルの番組をいつでも簡単な操作で選択して視聴できるようにした放送受信装置及び放送番組選択方法を提供することを目的とする。
【０００８】
【課題を解決するための手段】
本発明に係る放送受信装置は、各放送局で放送されている番組が現在どのジャンルに属するのかを示すジャンル−放送局対応情報を管理し、当該ジャンル−放送局対応情報における各ジャンルと各放送局との対応付けを動的に更新する情報管理手段と、入力操作を通じて指定されるジャンルを判定するジャンル判定手段と、前記情報管理手段により管理されている前記ジャンル−放送局対応情報を参照することにより、前記ジャンル判定手段により判定されたジャンルに該当する放送局を選択する選択制御手段と、前記選択制御手段により選択された放送局の番組内容を表示出力させる表示制御手段とを具備することを特徴とする。
【０００９】
また、本発明に係る放送番組選択方法は、各放送局で放送されている番組が現在どのジャンルに属するのかを示すジャンル−放送局対応情報を管理して、当該ジャンル−放送局対応情報における各ジャンルと各放送局との対応付けを動的に更新し、入力操作を通じて指定されるジャンルを判定し、前記ジャンル−放送局対応情報を参照することにより、前記判定の結果に示されるジャンルに該当する放送局を選択し、前記選択された放送局の番組内容を表示出力させることを特徴とする。
【００１０】
【発明の実施の形態】
以下、図面を参照して本発明の実施形態を説明する。
【００１１】
図１は、本発明の一実施形態に係る放送受信システムの概略構成を示す図である。本システムは、放送受信装置１、アンテナ２、リモートコントローラ（以下、リモコンと称す）、及びテレビ受像機４を含む。
【００１２】
放送受信装置１は、例えばＢＳ（Ｂｒｏａｄｃａｓｔｉｎｇ  ｓａｔｅｌｌｉｔｅ）放送や地上波デジタル放送を受信することが可能な放送受信機である。なお、ＢＳ放送や地上波デジタル放送のほか、ＣＡＴＶ放送や、アナログ衛星放送等の放送信号を受信できるように構築してもよい。この放送受信装置１は、放送受信に必要なＴＶチューナ等の各種装置や、サービス情報（ＳＩ：Ｓｅｒｖｉｃｅ  Ｉｎｆｏｒｍａｔｉｏｎ）を用いてＥＰＧ（Ｅｌｅｃｔｒｏｎｉｃ  Ｐｒｏｇｒａｍ  Ｇｕｉｄｅ）を作成するソフトウェアなど備えており、リモコン３から送信されてくる各種信号に応じた選局・復調・映像／音声処理などを行い、該当する番組内容を映像及び音声の信号としてテレビ受像機４側へ出力する。
【００１３】
特に、本実施形態による放送受信装置１は、各放送局で放送されている番組が現在どのジャンルに属するのかを示すジャンル−放送局対応情報（テーブル）を管理しており、当該ジャンル−放送局対応情報における各ジャンルと各放送局との対応付けを動的に更新する機能を有する。放送番組のジャンルについては、放送信号に付加されているサービス情報の中のジャンル情報、もしくは作成したＥＰＧの中のジャンル情報に基づいて判定することが可能である。上記ジャンル−放送局対応情報を参照することにより、リモコン３での入力操作で指定されるジャンルに該当する放送局を選択し、選択した放送局の番組内容をテレビ受像機４に出力することができるものとなっている。なお、上記放送受信装置１は、テレビ受像機４に内蔵されていてもよい。
【００１４】
アンテナ２は、各放送局から送信されてくる放送信号の電波を受け、それを電気信号として放送受信装置１へ供給する。
【００１５】
リモコン３は、放送受信装置１に備えられる入力装置であり、ユーザ（視聴者）の入力操作により選択されたチャンネル番号に該当する信号などを赤外線で放送受信装置１に対して発信する。特に、本実施形態によるリモコン３は、ユーザによる入力操作に応じて、複数あるチャンネル番号のうちの１つに該当する信号を選択的に発信するだけでなく、この発信の際に当該信号を放送局の選択信号とする第１のモードと当該信号をジャンルの選択信号とする第２のモードとのいずれを適用すべきかを示すモード指定情報を（例えば、フラグの形で）付加して発信するものとなっている。
【００１６】
テレビ受像機４は、放送受信装置１から送られてくる信号に従って映像及び音声を画面及びスピーカから出力する。
【００１７】
次に、図２を参照して、リモコン３上の操作ボタンやスイッチ類の配置関係について説明する。
【００１８】
リモコン３は、「放送局」の指定と「ジャンル」の指定に共通して使用される、チャンネル選択ボタン（チャンネル番号：１〜１２）やチャンネル切替スイッチのほか、音声ボリュームスイッチなどを備えている。
【００１９】
更に、リモコン３は、チャンネル番号の選択を「放送局の選択」とみなす通常チャンネルモード（第１のモード）と、チャンネル番号の選択を「ジャンルの選択」とみなすジャンル別チャンネルモード（第２のモード）の一方を指定するためのモード切替スイッチ５を備えている
図２の（ａ）に示されるように、モード切替スイッチ５が「通常」の位置にあるときには、通常チャンネルモードが指定される。一方、図２の（ｂ）に示されるように、モード切替スイッチ５が「ジャンル」の位置にあるときには、ジャンル別チャンネルモードが指定される。
【００２０】
なお、ユーザの入力操作に応じてチャンネル選択信号がリモコン３から発信される際には、モード切替スイッチ５により指定されたモードを示すモード指定情報が当該信号に付加された状態で発信されることになる。
【００２１】
次に、図３を参照して、放送受信装置１の内部構成について説明する。
【００２２】
入力端子１１は、アンテナ２から送られてくる電気信号を放送受信装置１内部へ入力するための端子である。
【００２３】
選局回路１２は、後述する制御部１９からの制御信号に従って、入力端子１１を介して供給されてくる信号から１つの伝送チャンネルを選択（同調）し、選択したチャンネルのデータを復調回路１３に出力する。
【００２４】
復調回路１３は、入力されたデータに復調処理を施して映像・音声処理回路１４及びデータ抽出回路１７に夫々出力する。また、出力ポート１６から外部出力することもできるようになっている。
【００２５】
映像・音声処理回路１４は、復調回路１３からの復調信号に対し画面表示するために必要な信号処理を施すと共に、特定の情報を含む表示画面を表示する場合には、制御部１９から供給されるオンスクリーン表示データを重畳して出力する。
【００２６】
出力端子１５は、映像・音声処理回路１４からの信号を外部へ出力するための端子である。出力された信号は、外部接続されたテレビ受像機４へ送られる。
【００２７】
出力ポート１６は、復調回路１３により復調処理の施されたデータを外部へ出力するためのポートである。
【００２８】
データ抽出回路１７は、復調回路１２からの出力信号から送信時に付加されたサービス情報を抽出する。抽出されたサービス情報は制御部１９へ供給される。
【００２９】
メモリ１８は、ｉ）通常チャンネル情報、ｉｉ）ジャンル別チャンネル情報、ｉｉｉ）ジャンル−放送局対応情報、といった各種の情報テーブルを記憶している。また、メモリ１８は、これらの情報テーブルを用いて放送番組選択に関わる処理を実行するための制御プログラムもメモリ１８に記憶している。上記通常チャンネル情報、ジャンル別チャンネル情報、ジャンル−放送局対応情報の例を、それぞれ図４〜図６に示す。
【００３０】
図４の情報テーブルは、通常チャンネルモードにおいて、１２個のチャンネルにＢＳ放送局が５局、地上波の放送局が７局割り当てられており、現在、それぞれのチャンネルでどのようなジャンルの番組が放送されているのかを示している。この情報テーブルの内容は、時間の経過とともに変化する。図５の情報テーブルは、ジャンル別チャンネルモードにおいて、１２個のチャンネルのそれぞれにどのようなジャンルが割り当てられているのかを示している。なお、チャンネル番号とジャンルとの関係は、ユーザの要求に応じて適宜変更することが可能である。図６の情報テーブルは、図４の情報テーブルと図５の情報テーブルとに基づいて作成されるものであり、各放送局で放送されている番組が現在どのジャンルに属するのかを示している。この情報テーブルの内容は、時間の経過とともに変化する。
【００３１】
なお、図４及び図６の情報テーブルの更新処理は、ｉ）ユーザがリモコン３上で所定の操作を行った時に行うようにしても良いし、ｉｉ）所定の時間（例えば１分）が経過する毎に行うようにしても良いし、ｉｉｉ）ＥＰＧ上で各放送局が放送する番組のジャンルが切り替る時点で行うようにしても良い。
【００３２】
リモコン受信部１９は、リモコン３から発信される信号を受信するものである。受信された信号は制御部２０へ送られる。
【００３３】
制御部（マイコン）２０は、メモリ１８に記憶される制御プログラムを実行することにより、データ抽出回路１７から得られたサービス情報等を用いてメモリ１８上の各種情報テーブルを適時に更新したり、リモコン３から送られてくる信号に応じて、各種情報テーブルからユーザが望む放送番組を放送している放送局を決定し、その番組内容を外部出力させるための制御信号を映像・音声処理回路１４に送ったりする。
【００３４】
次に、図７を参照して、制御部２０により実行される制御プログラムの機能構成について説明する。
【００３５】
モード判定部２１は、リモコン３から発信された信号に付加されているモード指定情報が「通常チャンネルモード」と「ジャンル別チャンネルモード」のどちらを示しているか否かを判定するものである。
【００３６】
通常モード処理部２２は、モード判定部２１が「通常チャンネルモード」と判定した場合に、通常チャンネルモードに該当する処理を実行するものである。
【００３７】
ジャンルモード処理部２３は、モード判定部２１が「ジャンル別チャンネルモード」と判定した場合に、ジャンル別チャンネルモードに該当する処理を実行するものである。このジャンルモード処理部２３は、ジャンル判定部２４、テーブル管理部２５、番組選択制御部２６、及び表示制御部２７を含む。
【００３８】
ジャンル判定部２４は、リモコン３から発信された信号により指定されるジャンルを判定するものである。
【００３９】
テーブル管理部２５は、各放送局で放送されている番組が現在どのジャンルに属するのかを示すジャンル−放送局対応情報などをメモリ上で管理し、当該ジャンル−放送局対応情報における各ジャンルと各放送局との対応付けを動的に更新するものである。
【００４０】
番組選択制御部２６は、テーブル管理部２５により管理されているジャンル−放送局対応情報を参照することにより、ジャンル判定部２４により判定されたジャンルに該当する放送局（の番組）を選択するものである。
【００４１】
表示制御部２７は、番組選択制御部２６により選択された放送局の番組内容を表示出力させるものである。また、表示制御部２７は、リモコン３上での所定の入力操作に応じて、各ジャンルと各放送局もしくは番組内容との対応付けを示す情報を表示出力することが可能である。この場合の一例を図８に示す。図示では、ジャンルと放送局との対応関係が示されているが、代りに、ジャンルと番組内容との対応関係を表示するようにしても良い。また、ジャンルや放送局、番組内容をアイコンで表現するようにしても良い。
【００４２】
次に、図９〜図１１を参照して、テレビ受像機４に出力される番組内容の切り替え動作について説明する。
【００４３】
いま、図９に示されるように、ユーザがＢＳ＿２でニュース番組を視聴しているものとする（状態Ａ１）。ここで、ユーザはスポーツ番組を視聴したい思い、リモコン３上でジャンル別チャンネルモードにし、チャンネル番号２を選択したものとする。すると、現在スポーツ番組を放送しているＢＳ＿１の番組内容に映像が切り替る（状態Ａ２）。さらにもう一度チャンネル番号２を選択すると、もう一つのスポーツ番組を放送している地Ｄ＿５の番組内容に切り替る（状態Ａ３）。さらにもう一度チャンネル番号２を選択すると、他にスポーツ番組を放送している放送局が無いため、先ほどのＢＳ＿１の番組内容に戻る（状態Ａ４）。
【００４４】
また、図１０に示されるように、ユーザがＢＳ＿２でニュース番組を視聴しているときに（状態Ｂ１）、ドキュメント番組を視聴したいと思い、ジャンル別チャンネルモードにした状態で、チャンネル番号８を選択したものとする。この場合、ドキュメント番組は現在どこの放送局でも放送されていないので、「ドキュメント番組は現在放送されていません」といったメッセージが表示される（状態Ｂ２）。
【００４５】
また、図１１に示されるように、ユーザがＢＳ＿２でニュース番組を視聴しているときに（状態Ｃ１）、別のニュース番組を視聴したいと思い、ジャンル別チャンネルモードにした状態で、チャンネル番号１を選択したものとする。すると、現在ニュース番組を放送している地Ｄ＿６の番組内容に切り替る（状態Ｃ２）。さらにもう一度チャンネル番号１を選択すると、もう一つのニュース番組を放送しているＢＳ＿５の番組内容に切り替る（状態Ｃ３）。さらにもう一度チャンネル番号１を選択すると、他にニュース番組を放送している放送局が無いため、先ほどのＢＳ＿２の番組内容に戻る（状態Ｃ４）。
【００４６】
次に、図１２のフローチャートを参照して、上記制御プログラムによる動作を説明する。
【００４７】
チャンネルボタンの押下げ（もしくは、チャンネル切替スイッチの切替）が検出されると（ステップＳ１）、「ジャンル別チャンネルモード」と「通常チャンネルモード」のどちらか指定されているかが判定される（ステップＳ２）。
【００４８】
「通常チャンネルモード」が指定されていれば、通常のリモコン動作に応じた処理を実行する（ステップＳ３）。一方、「ジャンル別チャンネルモード」が指定されていれば、例えばこの時点で「ジャンル−放送局対応情報」を含む各種の情報テーブルを最新の状態に更新し（ステップＳ４）、また、リモコン３から発信された信号により指定されるジャンルを判定する（ステップＳ５）。
【００４９】
この後、更新された「ジャンル−放送局対応情報」を参照することによって、ステップＳ５で判定されたジャンルに該当する放送局（の番組）を選択するための処理に移る。
【００５０】
まず、ステップＳ５で判定されたジャンルが、現在見ている番組と同じジャンルであるか否かが判定される（ステップＳ６）。
【００５１】
同じジャンルである場合、そのジャンルの番組が他にも放送されているか否かが判定される（ステップＳ７）。他にも放送されていれば、そのジャンルにおける次の番組に映像を切り替える（ステップＳ８）。一方、他に放送されていなければ、その旨の通知メッセージを表示させる（ステップＳ９）。
【００５２】
また、ステップＳ６において、判定されたジャンルが現在見ている番組と同じジャンルでない場合、判定されたジャンルの番組が現在放送されているか否かが判定される（ステップＳ１０）。現在放送されていれば、そのジャンルにおける次の番組に映像を切り替える（ステップＳ１１）。一方、現在放送されていなければ、その旨の通知メッセージを表示させる（ステップＳ１２）。
【００５３】
このように、本実施形態によれば、ユーザが例えばニュース番組を見ているときに、スポーツ番組を見たいと思った場合、番組表を調べたり、チャンネルを一つ一つ切り替えて探したりするという面倒さを解消することができる。この場合、スポーツ番組がどこかの放送局で放送されているのであれば、その候補が提示されるので、放送局がどこであろうと、所望のジャンルの番組を簡単かつ迅速に選択することができる。また、スポーツ番組が現在どこの放送局でも放送されていなければ、その旨の通知メッセージが表示されるので、その事実をすぐに知ることができる。
【００５４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００５５】
【発明の効果】
以上詳記したように本発明によれば、ユーザは望むジャンルの番組をいつでも簡単な操作で選択して視聴できる。
【図面の簡単な説明】
【図１】本発明の一実施形態に係る放送受信システムの概略構成を示す図。
【図２】リモコン上の操作ボタンやスイッチ類の配置関係を示す図。
【図３】放送受信装置の内部構成を示すブロック図。
【図４】通常チャンネル情報の例を示す図。
【図５】ジャンル別チャンネル情報の例を示す図。
【図６】ジャンル−放送局対応情報の例を示す図。
【図７】制御部により実行される制御プログラムの機能構成を示す図。
【図８】ジャンルと放送局もしくは番組内容との対応付け情報の表示例を示す図。
【図９】テレビ受像機に出力される番組内容の切り替え動作の例を示す図。
【図１０】テレビ受像機に出力される番組内容の切り替え動作の別の例を示す図。
【図１１】テレビ受像機に出力される番組内容の切り替え動作の更なる別の例を示す図。
【図１２】制御プログラムによる動作を示すフローチャート。
【符号の説明】１…放送受信装置、２…アンテナ、３…リモコン、４…テレビ受信機、５…モード切替スイッチ、６…制御プログラム、１１…入力端子、１２…選局回路、１３…復調回路、１４…映像・音声処理回路、１５…出力端子、１６…出力ポート、１７…データ抽出回路、１８…メモリ、１９…リモコン受信部、２０…制御部（マイコン）、２１…モード判定部、２２…通常モード処理部、２３…ジャンルモード処理部、２４…ジャンル判定部、２５…テーブル管理部、２６…番組選択制御部、２７…表示制御部
【図１】
2004363807.tif 000003
【図２】
2004363807.tif 000004
【図３】
2004363807.tif 000005
【図４】
2004363807.tif 000006
【図５】
2004363807.tif 000007
【図６】
2004363807.tif 000008
【図７】
2004363807.tif 000009
【図８】
2004363807.tif 000010
【図９】
2004363807.tif 000011
【図１０】
2004363807.tif 000012
【図１１】
2004363807.tif 000013
【図１２】
2004363807.tif 000014